(57)【特許請求の範囲】
【請求項１】
内部に商品陳列室を有し、正面に開口を有するショーケース本体と、
前記商品陳列室内の下部に設けられ、前後方向にスライド可能であって左右方向に配列された複数のスライドデッキと、
隣り合って位置する二つの前記スライドデッキを一体にスライド可能となるように連結し又はその連結を解除する連結機構と、
を有し、
前記連結機構は、係合される部分を有して隣り合う一方の前記スライドデッキに固定された一つのスライドガイド板と、係合される部分を有して他方の前記スライドデッキに固定された他の一つのスライドガイド板と、一方の前記スライドデッキに取付けられ、二つの前記スライドガイド板の係合される部分に係合する位置と、他方の前記スライドガイド板の係合される部分への係合を解除して一方の前記スライドガイド板の係合される部分にのみ係合する位置とにスライド可能な連結操作板とを有することを特徴とするショーケース。
【請求項２】
前記連結機構は、前記スライドデッキの正面側に配置されていることを特徴とする請求項１記載のショーケース。
【発明の詳細な説明】
【技術分野】
【０００１】
本発明は、商品陳列室内の下部に前後方向にスライド可能なスライドデッキを有するショーケースに関する。
【背景技術】
【０００２】
従来、スーパーマーケットやコンビニエンスストア等の店舗では、商品陳列室内の下部に前後方向にスライド可能なスライドデッキを有するショーケースが用いられており、このスライドデッキには、野菜等の大型の商品や、積み重ねた状態とされる豆腐や納豆等の小型の商品が載置されている。スライドデッキに商品を載置する作業や、載置されている商品を整列させる作業は、スライドデッキを前方（手前側）へスライドさせて商品陳列室内から引き出した状態で行い、作業終了後にスライドデッキを後方へスライドさせて商品陳列室内に収容している。このようなスライドデッキを備えたショーケースの一例としては、例えば、下記特許文献１に記載されたものが知られている。
【先行技術文献】
【特許文献】
【０００３】
【特許文献１】特開２０００-４１８０１号公報
【発明の概要】
【発明が解決しようとする課題】
【０００４】
特許文献１に記載されているスライドデッキは、横幅寸法が商品陳列室内の横幅寸法と略同じであり、大型であるとともに重量物となっている。このため、スライドデッキを商品陳列室内に取付ける作業には手間がかかっている。
【０００５】
さらに、スライドデッキが大型であって重量物であるとともに、その大型のスライドデッキには多量の商品が陳列されるため、スライドデッキには大きな負荷が作用することになる。そして、大きな負荷が作用したスライドデッキのスライド操作を繰り返すうちにスライドデッキには次第に歪みが発生し、その歪みによって円滑なスライド操作が妨げられるようになり、耐久性が低下するという問題が生じている。
【０００６】
そこで、スライドデッキを横幅方向の寸法を小さくして小型化し、小型化した複数のスライドデッキを商品陳列室内に設けることが考えられる。このようにすれば、個々のスライドデッキに作用する負荷が小さくなり、負荷の作用により発生するスライドデッキの歪みが防止される。
【０００７】
しかしながら、小型化した複数のスライドデッキを商品陳列室内に設けた場合には、スライドデッキ上に商品を載置するために行うスライドデッキのスライド操作の回数が多くなり、スライドデッキ上に商品を載置する作業等の省力化を図ることができない。
【０００８】
さらに、大型の商品や積み重ねた状態の小型の商品が隣り合うスライドデッキ上に跨って載置されていると、それらのスライドデッキを個々にスライドさせる場合に、跨って載置されている商品がスライドデッキ上から落下したり、載置されている商品の整列状態が乱れたりする。このため、隣り合うスライドデッキ上に商品を跨った状態で載置することは難しくなる。
【０００９】
本発明はこのような課題を解決するためになされたもので、その目的は、スライドデッキを小型化することにより、商品陳列室内へのスライドデッキの取付を容易にすることである。さらに、スライドデッキを小型化して軽量化することにより、スライドデッキに作用する負荷を軽減し、スライドデッキを繰り返しスライドさせることにより発生する歪みを防止して耐久性を向上させることである。さらに、商品を隣り合うスライドデッキに跨った状態で載置できるようにすることである。
【課題を解決するための手段】
【００１０】
本発明に係るショーケースは、内部に商品陳列室を有し、正面に開口を有するショーケース本体と、前記商品陳列室内の下部に設けられ、前後方向にスライド可能であって左右方向に配列された複数のスライドデッキと、隣り合って位置する二つの前記スライドデッキを一体にスライド可能となるように連結し又はその連結を解除する連結機構と、を有し、前記連結機構は、係合される部分を有して隣り合う一方の前記スライドデッキに固定された一つのスライドガイド板と、係合される部分を有して他方の前記スライドデッキに固定された他の一つのスライドガイド板と、一方の前記スライドデッキに取付けられ、二つの前記スライドガイド板の係合される部分に係合する位置と、他方の前記スライドガイド板の係合される部分への係合を解除して一方の前記スライドガイド板の係合される部分にのみ係合する位置とにスライド可能な連結操作板とを有する。
【００１１】
また、前述のショーケースにおいて、前記連結機構は、前記スライドデッキの正面側に配置されていることが望ましい。
【発明の効果】
【００１２】
本発明に係るショーケースは、商品陳列室の下部に、左右方向に配列された複数のスライドデッキが設けられ、これらのスライドデッキは前後方向にスライド可能とされている。そして、隣り合って位置する二つのスライドデッキは、連結機構により連結されて一体にスライド可能とされ、また、連結機構による連結を解除することにより個々にスライド可能とされている。従って、個々のスライドデッキは左右方向の横幅寸法が小さくなって小型化され、軽量化されているため、商品陳列室内への取付作業を容易に行える。また、個々のスライドデッキは軽量であるとともに各スライドデッキに載置される商品の重量も少なくなるため、前後方向へのスライド操作を繰り返してもスライドデッキには歪みが生じにくくなり、耐久性が向上する。一方、隣り合って位置するスライドデッキを連結機構で連結することにより、連結されたスライドデッキを一体にスライドさせることができ、複数のスライドデッキをスライドさせる操作を手間をかけず容易に行うことができ、しかも、商品が隣り合うスライドデッキ上に跨って載置されている場合でも、その商品をスライドデッキから落下させることなく二以上のスライドデッキを一体にスライドさせることができる。
【００１３】
また、連結機構がスライドデッキの正面側に配置されているので、連結機構によりスライドデッキを連結する作業、及び、連結解除作業を、ショーケースの正面側から容易に行うことができる。
【図面の簡単な説明】
【００１４】
【図１】ショーケースの全体構成を示す断面側面図である。
【図２】スライドデッキの配置状態を示す斜視図である。
【図３】連結機構を示す斜視図である。
【発明を実施するための形態】
【００１５】
本発明の一実施形態のショーケースについて、図面に基づいて説明する。図１は、スーパーマーケットやコンビニエンスストア等の店舗内に設置されるショーケース１を示す断面側面図である。このショーケース１は、正面に開口２が形成された断面形状コの字型のショーケース本体３を有し、ショーケース本体３の内部に商品陳列室４が設けられている。
【００１６】
ショーケース本体３内には、その内周部に沿って通風路５が形成されている。この通風路５の一端には、ショーケース本体３の正面側上部に位置して下向きに開口する吹出口６が形成されている。通風路５の他端には、ショーケース本体３の正面側下部に位置して上向きに開口する吸込口７が形成されている。
【００１７】
通風路５内には、ファン８と冷却器９とが配置されている。ファン８が駆動されることにより吸込口７から空気が吸い込まれ、その空気は通風路５内を流れて吹出口６から下向きに吹出される。冷却器９は、通風路５内を流れる空気を冷却する。
【００１８】
商品陳列室４内には、上下方向に沿って複数段の商品陳列棚１０が設けられ、それらの商品陳列棚１０の下側には二つのスライドデッキ１１ａ、１１ｂが設けられている。これらの商品陳列棚１０とスライドデッキ１１ａ、１１ｂとは、各種の商品が載置される場所とされている。特に、商品陳列室４内の下部に設けられているスライドデッキ１１ａ、１１ｂは、野菜等の大型の商品や、豆腐や納豆等の小型の商品が積み重ねた状態で載置される場所とされている。なお、二つのスライドデッキ１１ａ、１１ｂは、図２に示すように、左右方向に隣り合って配置されている。そして、二つのスライドデッキ１１ａ、１１ｂは、前後方向に延出するスライドレールを備えたスライド機構（図示せず）により、前後方向（図１及び図２に示す矢印ａ方向）にスライド可能とされている。
【００１９】
また、二つのスライドデッキ１１ａ、１１ｂは、これらのスライドデッキ１１ａ、１１ｂの正面側に配置された連結機構１２により連結可能とされ、又は、連結機構１２による連結を解除可能とされている。二つのスライドデッキ１１ａ、１１ｂが連結機構１２により連結されている場合、二つのスライドデッキ１１ａ、１１ｂは一体となって前後方向にスライド可能となる。また、連結機構１２による連結を解除されている場合、二つのスライドデッキ１１ａ、１１ｂは個々に前後方向にスライド可能となる。
【００２０】
連結機構１２は、図２及び図３に示すように、一対のスライドガイド板１３ａ、１３ｂと、連結操作板１４と、マグネット板１５とから構成されている。
【００２１】
スライドガイド板１３ａ、１３ｂは略Ｕ字形に形成され、一方のスライドガイド板１３ａは、解放側を下向きとして一方のスライドデッキ１１ａに固定されている。他方のスライドガイド板１３ｂは、解放側を下向きとして他方のスライドデッキ１１ｂに固定されている。
【００２２】
連結操作板１４は、左右方向（図３に示す矢印ｂ方向）にスライド可能に設けられており、一方のスライドガイド板１３ａ、又は、二つのスライドガイド板１３ａ、１３ｂにスライド可能に係合されている。連結操作板１４が二つのスライドガイド板１３ａ、１３ｂに係合されている場合には、二つのスライドデッキ１１ａ、１１ｂは連結状態となっている。一方、連結操作板１４がスライドガイド板１３ｂとの係合を解除されてスライドガイド板１３ａにのみ係合されている場合には、二つのスライドデッキ１１ａ、１１ｂは連結状態を解除されている。連結操作板１４の一端側には、この連結操作板１４を左右方向にスライド操作する際に手を掛ける部分となる取手部１６が下向きに延出して形成されている。
【００２３】
マグネット板１５は、スライドガイド板１３ｂと左右方向で並んだ位置に配置され、スライドデッキ１１ｂに固定されている。連結操作板１４が二つのスライドガイド板１３ａ、１３ｂに係合されている場合、連結操作板１４の先端部がマグネット板１５により吸着されるようになっている。
【００２４】
また、スライドデッキ１１ａ、１１ｂの正面側には、これらのスライドデッキ１１ａ、１１ｂを後方位置にスライドさせた場合に吸込口７の上方に位置する開口部１７が形成されている。そして、この開口部１７内に連結機構１２が配置されており、図示は省略しているが、開口部１７と連結機構１２とを覆う吸込口カバーがスライドデッキ１１ａ、１１ｂに着脱可能に取付けられている。
【００２５】
このような構成において、スライドデッキ１１ａ、１１ｂ上に商品を載置する作業や、スライドデッキ１１ａ、１１ｂ上に載置されている商品を整列する作業は、スライドデッキ１１ａ、１１ｂを前方にスライドさせて商品陳列室４内から引き出した状態で行っている。そして、それらの作業が終了した後、スライドデッキ１１ａ、１１ｂを後方へスライドさせて商品陳列室４内に収容している。
【００２６】
二つのスライドデッキ１１ａ、１１ｂは連結機構１２により連結可能であり、及び、その連結状態を解除可能である。二つのスライドデッキ１１ａ、１１ｂを連結する場合には、連結操作板１４をスライドデッキ１１ａからスライドデッキ１１ｂ側へスライドさせ、この連結操作板１４をスライドガイド板１３ａ、１３ｂに係合させる。さらに、連結操作板１４の先端部をマグネット板１５に吸着させる。この操作により、二つのスライドデッキ１１ａ、１１ｂが連結され、一体に前後方向にスライド可能となる。
【００２７】
一方、二つのスライドデッキ１１ａ、１１ｂの連結状態を解除する場合には、連結操作板１４をスライドデッキ１１ｂから離反する方向にスライドさせ、スライドガイド板１３ｂとの係合状態を解除する。この操作により、二つのスライドデッキ１１ａ、１１ｂの連結状態が解除され、スライドデッキ１１ａ、１１ｂは個別に前後方向にスライド可能となる。
【００２８】
ここで、商品陳列室４内に一つのスライドデッキが設けられている従来例の場合に比べて、左右方向に配列されている二つのスライドデッキ１１ａ、１１ｂの個々は、左右方向の横幅寸法が小型化され、軽量化されている。このため、スライドデッキ１１ａ、１１ｂを商品陳列室４内に取付ける作業を容易に行うことができる。また、個々のスライドデッキ１１ａ、１１ｂは軽量であるとともに各スライドデッキ１１ａ、１１ｂ上に載置される商品の重量も少なくなり、各スライドデッキ１１ａ、１１ｂに作用する負荷は小さくなる。このため、スライドデッキ１１ａ、１１ｂをスライドさせる操作を繰り返しても、スライドデッキ１１ａ、１１ｂには歪みが生じにくくなり、スライドデッキ１１ａ、１１ｂの耐久性が向上する。
【００２９】
一方、二つのスライドデッキ１１ａ、１１ｂを連結機構１２で連結することにより、連結したスライドデッキ１１ａ、１１ｂを一体に前後方向にスライドさせることができる。このため、スライドデッキ１１ａ、１１ｂを連結することにより、商品を載置するために行うスライドデッキ１１ａ、１１ｂを前後方向へスライドさせる操作回数を減らすことができ、スライドデッキ１１ａ、１１ｂ上に商品を載置する作業の省力化を図ることができる。また。二つのスライドデッキ１１ａ、１１ｂに跨った状態で商品が載置されている場合には、二つのスライドデッキ１１ａ、１１ｂを連結して一体にスライドさせることにより、スライド操作時におけるスライドデッキ１１ａ、１１ｂからの商品の落下を防止することができる。このため、大型の商品や積み重ねた状態で陳列される小型の商品についても、隣り合うスライドデッキ１１ａ、１１ｂ上に跨った状態で載置することができる。
【００３０】
また、連結機構１２はスライドデッキ１１ａ、１１ｂの正面側に配置されているので、連結機構１２によってスライドデッキ１１ａ、１１ｂを連結する作業や、連結機構１２による連結状態を解除する作業を、ショーケース１の正面側から容易に行うことができる。
【００３１】
なお、本実施の形態では、商品陳列室４内には左右方向に二つのスライドデッキ１１ａ、１１ｂが配置された場合を例に挙げて説明したが、左右方向に配置されるスライドデッキの数は三つ以上であってもよい。
【符号の説明】
【００３２】
１    ショーケース
２    開口
３    ショーケース本体
４    商品陳列室
５    通風路
６    吹出口
７    吸込口
８    ファン
９    メイン冷却器
１０    商品陳列棚
１１ａ、１１ｂ  スライドデッキ
１２    連結機構
１３ａ、１３ｂ  スライドガイド板
１４    連結操作板
１５    マグネット板
１６    取手部
１７    開口部
【要約】
【課題】ショーケースの商品陳列室内の下部に配置されて前後方向にスライド可能なスライドデッキは、大型で重量物であるため、商品陳列室内への取付に手間がかかっている。さらに、自重と商品重量との大きな負荷が作用した状態で繰り返しスライドされることにより、歪みが生じやすくなり、耐久性が低下する。
【解決手段】ショーケースは、内部に商品陳列室を有するショーケース本体と、商品陳列室内の下部に設けられ、前後方向スライド可能であって左右方向に配列された複数のスライドデッキ１１ａ、１１ｂと、隣り合って位置する二つのスライドデッキを一体にスライド可能となるように連結し又はその連結を解除する連結機構１２とを有する。
【選択図】図２【図１】
0006905788.tif 000002
【図２】
0006905788.tif 000003
【図３】
0006905788.tif 000004